(57)【要約】      （修正有）【課題】不特定多数の人々を対象にし、人々が興味を持って街頭広告を見てくれる街頭広告システムを提供する。【解決手段】複数の情報番組情報を記憶する番組記憶部２１と、前記番組記憶部から情報番組情報を呼び出して配信するホストコンピュータ２０と、を有する情報番組配信装置と、広告画像を表示する画像表示装置１と、前記画像表示装置に表示する広告画像を生成する画像生成装置６と、前記広告画像の元となる複数の広告情報を記憶する広告記憶部５と、前記記憶部に記憶された複数の広告情報の中から１つの広告情報、あるいは前記情報番組情報を画像生成装置に送る制御部４と、を有する複数の広告装置１０と、前記画像表示装置が観察可能な範囲の携帯端末３と無線通信を行なう無線通信装置７と、前記携帯端末からの通信をカウント集計して前記制御部に集計結果を送る集計装置８とを有する無線通信集計装置とを備えている。【選択図】図１
2008191346.tif 000002
【特許請求の範囲】
【請求項１】
複数の情報番組情報を記憶する番組記憶部と、
前記番組記憶部から情報番組情報を呼び出して配信するホストコンピュータと、
を有する情報番組配信装置と、
少なくとも広告画像を表示する画像表示装置と、
前記画像表示装置に表示する広告画像を生成する画像生成装置と、
前記広告画像の元となる複数の広告情報を記憶する広告記憶部と、
前記記憶部に記憶された複数の広告情報の中から１つの広告情報、あるいは前記情報番組情報を画像生成装置に送る制御部と、
を有する複数の広告装置と、
前記画像表示装置が観察可能な範囲の携帯端末と無線通信を行なう無線通信装置と、
前記携帯端末からの通信をカウント集計して前記制御部に集計結果を送る集計装置と、
を有する無線通信集計装置と、
を備えたことを特徴とする情報配信システム。
【請求項２】
少なくとも広告画像を表示する画像表示装置と、
前記画像表示装置に表示する広告画像を生成する画像生成装置と、
前記広告画像の元となる画像データとその広告を行なうに必要な時間データとからなる複数の広告情報を記憶する広告記憶部と、
前記記憶部に記憶された複数の広告情報の中から１つの広告情報を呼び出して広告時間を把握し、画像生成装置に画像データを送る制御部と、
を各々備える複数の広告装置と、
前記画像表示装置が観察可能な範囲の携帯端末と無線通信を行なう無線通信装置と、
前記携帯端末からの通信をカウント集計して前記制御部に集計結果を送る集計装置と、
を有する無線通信集計装置と、
複数の情報番組を記憶する番組記憶部と、
前記番組記憶部から情報番組を呼び出して前記複数の広告装置に情報番組を配信し、前記複数の広告装置で行なわれている広告の中で終了時間が最後の広告に合わせて情報番組の開始を指示するホストコンピュータと、
を有する情報番組配信装置と、
を備えたことを特徴とする情報配信システム。
【請求項３】
請求項１又は２において、各広告装置の制御部は無線集計装置での集計情報を画像生成装置に送り、画像表示装置にて表示する、
ことを特徴とする情報配信システム。
【発明の詳細な説明】
【技術分野】
【０００１】
本発明は、繁華街での待ち合わせ等の場所に設置した大きな広告動画表示装置を用いて、待ち合わせ人等が参加可能な番組を提供すると共に、より広告効果を高める情報配信システム関する。
【背景技術】
【０００２】
街頭広告に無線通信装置を取り付け、通信圏内に消費者が持ち歩く携帯端末が入ったことを検出して、街頭広告に関する広告コンテンツを、消費者の携帯端末に発信して伝え、ユーザーがその携帯端末を用いて、商品購入、キャンペーン参加、アンケート応募、資料請求等の応答情報を無線通信装置に応答することで、その場で受け付けを行なう広告システムがある（例えば特許文献１参照。）。
【特許文献１】特開２００２−４４０４２号公報
【発明の開示】
【発明が解決しようとする課題】
【０００３】
上記の広告システムにおいては、事前にユーザーが自分のプロフィール情報を登録しておく必要があり、その登録の許可と引き換えに、商品購入受付情報、キャンペーン情報、アンケート情報等が送られてくるようになっている。
これでは、ユーザーの立場からすると、わざわざ必要もない広告主に対し自分の個人情報を提供することになり、その個人情報がどのように使われるかはユーザーが把握できないことで、昨今の個人情報保護の観点からしてもあまり好ましいものではない。
【０００４】
従って不特定多数の消費者に対し広告する街頭広告システムとしては、消費者の個人情報を事前に登録するシステムでは、消費者からのプロフィール情報の登録はあまり期待できないのである。
そこで、本願では上記観点に鑑み、不特定多数の消費者を対象にし、消費者が興味を持って街頭広告を見てくれる街頭広告システムを提供することにある。
【課題を解決するための手段】
【０００５】
上記課題を解決するために、本発明では、
複数の情報番組情報を記憶する番組記憶部と、
前記番組記憶部から情報番組情報を呼び出して配信するホストコンピュータと、
を有する情報番組配信装置と、
少なくとも広告画像を表示する画像表示装置と、
前記画像表示装置に表示する広告画像を生成する画像生成装置と、
前記広告画像の元となる複数の広告情報を記憶する広告記憶部と、
前記記憶部に記憶された複数の広告情報の中から１つの広告情報、あるいは前記情報番組情報を画像生成装置に送る制御部と、
を有する複数の広告装置と、
前記画像表示装置が観察可能な範囲の携帯端末と無線通信を行なう無線通信装置と、
前記携帯端末からの通信をカウント集計して前記制御部に集計結果を送る集計装置と、
を有する無線通信集計装置と、
を備えた情報配信システムとしてある。
【０００６】
上記発明によれば、複数の情報番組を番組記憶部に記憶しておき、ホストコンピュータがそれを呼び出して配信する。各広告装置の制御部は、記憶装置から広告情報である画像データを呼び出して、画像データは画像生成装置で広告画像に変換し、画像表示装置に広告画像を映し出す、あるいは前記ホストコンピュータから配信される情報番組を画像表示装置に映し出すのである。
画像表示装置を観ている人々が各自の携帯端末から通信してくるとそれを集計装置で集計して集計結果を制御部に送るのである。
【０００７】
さらに上記課題を解決するために、本願発明では少なくとも広告画像を表示する画像表示装置と、前記画像表示装置に表示する広告画像を生成する画像生成装置と、前記広告画像の元となる画像データとその広告を行なうに必要な時間データとからなる複数の広告情報を記憶する広告記憶部と、前記記憶部に記憶された複数の広告情報の中から１つの広告情報を呼び出して広告時間を把握し、画像生成装置に画像データを送る制御部と、
を各々備える複数の広告装置と、
前記画像表示装置が観察可能な範囲の携帯端末と無線通信を行なう無線通信装置と、前記携帯端末からの通信をカウント集計して前記制御部に集計結果を送る集計装置と、
を有する無線通信集計装置と、
複数の情報番組を記憶する番組記憶部と、
前記番組記憶部から情報番組を呼び出して前記複数の広告装置に情報番組を配信し、前記複数の広告装置で行なわれている広告の中で終了時間が最後の広告に合わせて情報番組の開始を指示するホストコンピュータと、
を有する情報配信装置と、
を備えた情報番組配信システムとしてある。
【０００８】
上記発明によれば、各広告装置の制御部は、記憶装置から広告情報である画像データとその表示に必要な時間データを呼び出して、画像データは画像生成装置で広告画像に変換し、画像表示装置に広告画像を映し出している。  そしてホストコンピュータはでは、番組記憶装置から情報番組を呼び出して、各広告装置に送るとともに、各広告装置で行なわれている広告の表示に必要な時間データから広告終了時間が最後の広告に合わせて情報番組の開始を指示するのである。
そして画像表示装置を観ている人々が各自の携帯端末から通信してくるとそれを集計装置で集計して集計結果を制御部に送るのである。
【０００９】
さらに上記課題を解決するために、本願発明では、上述した各発明において、各広告装置の制御部は無線集計装置での集計情報を画像生成装置に送り、画像表示装置にて表示する情報配信システムとしてある。
本発明によれば、画像表示装置を見ている人々が集計結果を見ることができ、自分の携帯端末から通信した人にとっては、自分の通信結果が画像表示装置に映し出される集計結果に反映されたことを認識できる。
【発明の効果】
【００１０】
本発明により、街頭や電車など公衆の集まるところに設置した広告表示装置を用いて、広告の合間にクイズ等の情報番組を入れて、それを観ている人々から携帯端末を使って参加して貰え、参加者にとってはクイズやアンケートに答えることで、雑学や、雑学や楽曲データ等の何らかのメリットがあり、非常に面白い情報配信システムとなる。
【発明を実施するための最良の形態】
【００１１】
本発明による街頭広告システムの実施の形態を、図面を参照しながら具体的に説明する。尚、以下における街頭広告のサテライト装置、及びホストコンピュータでの処理は、プログラムにより制御され、コンピュータで実行される。
【実施例１】
【００１２】
図１は、本願の街頭広告システムの構成を示すブロック図である。サテライト装置Ａ、Ｂは、各地の繁華街の待ち合わせ場所に街頭広告装置１０が設置してあり、人待ちしている人々から見えるビルの外壁等に、大画面の画像表示装置１が設けてある。人待ちしている人々２は、待ち人が来るまで、携帯電話等の携帯端末３を用いて、画像表示装置１を用いて催される興味ある情報番組に電話をして参加することができる。この情報番組は、常識クイズや頭の体操等が広告の合間に流されるのである。
【００１３】
制御装置４は各種広告画像を記憶してあるハードディスク等の記憶装置５から広告情報を読み出して画像生成装置６に広告情報を送り、画像生成装置６では記憶装置５から読み出した広告画像データ情報を基にして画像データを生成して、画像表示装置１に広告情報を表示する。
制御装置４では携帯端末３からの応答信号を受信装置７で受信し、受信装置７では、画像表示装置１にて行なわれている情報番組に参加してくる人々２の携帯端末３からの発信信号を受信し、ガイダンスを流し、ガイダンスに沿って回答してくる結果を集約装置８により集約し、その結果を得る。
【００１４】
受信装置７はＰＨＳや携帯電話、Ｂｌｕｅｔｏｏｔｈ規格等の無線接続アンテナや、画像表示装置１に表示される画像が観察可能な範囲にいる人々を撮影するカメラや、集音マイク、天候観測装置を備え、画像表示装置１を観察できる範囲にいる人々の情報を収集することができる。
【００１５】
このように制御装置４では、画像表示装置１に表示された情報番組に掲載された電話番号等のアクセス番号に人々が各自の携帯端末３でアクセスすることで受信装置７を介して応答内容を集計装置８で集約することができる。
情報番組を見て興味を示してアクセスしてくるアクセス番号はフリーダイアル等の無料通信が望ましいが、もちろん有料、無料は問わない。
【００１６】
カメラではリアルタイムに画像表示装置１の画像が観察可能な範囲にいる人々の映像を撮影しており、どのくらいの人々がいるかを画像認識技術により、認識することができる。これは早朝の誰もいないときの画像と、人々がいるときの画像の差分をとることで認識できる。また、待ち合わせ等で、その場に留まっている人がどれだけいるかどうかは、リアルタイムに撮影した画像の時間差による比較をすることで、人の動きがあるかどうかを判定することで把握することができる。
【００１７】
夜間の場合は赤外線カメラで撮影することで、同様に画像表示装置１が観察可能な範囲にいる人々がどれだけいるかを判断できるのである。
集音マイクは、画像表示装置１が観察可能な範囲にいる人々が発する歓声や拍手等の音を集音することで、画像表示装置１に表示されている広告や情報番組への反応を把握することが可能である。
【００１８】
受信装置７は無線接続機能の代替として、画像表示装置が観察できる場所に設置したボタンなどの入力装置が有線で接続されていてもよい。この場合は、人々が携帯端末３を持参していなくとも画像表示装置１で催される情報番組への入力ができるのである。
またカメラ、マイク等は適宜、組合せて構築してもよい。つまり、受信装置７は、無線接続機能単独でもよいし、カメラが備えてあってもよいし、カメラの代わりに集音マイクが備えてあってもよいし、あるいは無線接続機能と共にカメラと集音マイクが両方備わっていてもよい。また天候観測装置とは、外気温を計測する温度計や湿度計、雨量計、風速計などである。
【００１９】
全国の繁華街の街頭広告装置１０の制御装置４はネットワーク３０を介してホストコンピュータ２０に接続されている。ホストコンピュータ２０にはクイズ等の情報番組のデータを記憶した情報番組記憶装置２１を備えており、新しくクイズ番組等のデータが番組制作者から更新されている。
【００２０】
通常は制御装置４は、記憶装置５に記憶されている各種の広告情報を呼び出して、画像生成装置６に広告情報を送り、画像データを生成して画像表示装置１に広告情報を表示している。この場合に、サテライトＡと、サテライトＢでは、表示する広告内容は同一であってもよいが、より良くは各サテライト毎に広告内容が違っていてもよい。それは各サテライト毎の地域差があるから、その地域に合わせて広告内容は変えた方が広告の効率が上がるのが普通である。
例えばサテライトＡを東京渋谷とした場合とサテライトＢを大阪道頓堀とした場合では、東京のサテライトＡに大阪でしか販売していない商品の広告をしてもあまり意味がないのである。
【００２１】
各サテライトでの広告は制御装置４により制御されている。通常の広告では、各広告主からの広告画像が記憶装置５に記憶されており、制御装置４は記憶装置５から順次広告データを呼び出して画像生成装置６にて画像データを生成して画像表示装置１に表示している。
【００２２】
広告主としては、実際に広告を見てくれている人々がどれだけいるか、年齢層はどのあたりか、あるいはその人たちの反応がいかなるものか等の広告効果を知りたい。そこで、画像表示装置１で広告を表示する際に、受信装置7のカメラや集音マイクで画像表示装置１に表示されている広告を見ている人々の反応を録画しておくことは、広告主への報告になる。この際に天候等の付随情報があると広告主としては、広告を見ている人々の反応の分析に役立つのである。例えば、冷凍菓子の広告では、気温が高いほど、人々は購入意欲をそそられるであろうし、実際にある気温を超えると売れ行きが伸びるのでるから、広告のタイミングは気温が重要な要素になるのである。
【００２３】
通常の広告と情報番組について、以下に説明する。
ホストコンピュータ２０は、ネットワーク３０を介して各街頭広告装置１０の制御装置４に対して、情報番組の開始を伝える。この場合に各街頭広告装置10では各制御装置４のタイムスケジュールに沿って画像表示装置１に各記憶装置５にある広告画像データ情報を呼び出して画像生成装置６にて画像データを生成している。従って、各街頭広告装置１０でのタイムスケジュールは各制御装置４が管理しており、ホストコンピュータ２０からの情報番組の開始信号が来ると、各サテライトの画像表示装置1で行なっている広告の終了を待って情報番組（ここではクイズ番組とする）が開始される。
【００２４】
例えばサテライトＡがあと10秒で現在表示されている広告が終了し、サテライトＢが１５秒で現在表示されている広告が終了する場合について説明する。この場合はホストコンピュータ２０からの開始信号に対し、各サテライトの制御装置４からホストコンピュータ２０に広告終了時間の信号が送られ、ホストコンピュータ２０では、各サテライトのなかから、現在、画像表示装置１に表示されている広告の終了が一番遅いサテライトを把握して、一番遅い広告が終わるまでは、先に広告が終るサテライトに対し、予め記憶装置５に用意してある情報番組の開始を伝える画像データ情報を呼び出して表示する待ち画像表示を指示し、時間調整を行なう。
そして、全てのサテライトの広告が終了することで、クイズ番組を同時に始めることができる。
【００２５】
もちろん、各広告装置１０毎に広告の切れがよいところからクイズ番組が開始する方式でもよい。この場合では待ち時間の調整は不要となるが、各サテライトで同時にクイズ番号が進行せず、多少の遅れが生じることになる。
この場合にカメラで各サテライトの様子をお互いに表示する際に、多少の不都合（例えば意外な答えに驚く観客の映像を映し出す際に時間差が生じる。）があるが、数秒程度ではあまり問題はない。
【００２６】
図２には街頭広告システムの広告と情報番組の流れを示す。以下、広告が終了直後にクイズが開始するとして説明する。
広告１が終了し、クイズ１が開始すると、ホストコンピュータ２０が記憶装置２１からクイズ番組の情報データを読み出して、ネットワーク３０を介して直接に制御装置４に対して送り、制御装置はクイズ番組の情報データを画像生成装置６に送り、画像生成装置６で画像を生成して画像表示装置１に表示する。
あるいはホストコンピュータ２０がクイズ番組の開始信号をネットワーク３０を通じて送信すると、各街頭広告装置１０の制御装置４は記憶装置５に事前に記憶されたクイズ番組の情報データを呼び出し、画像生成装置６にて画像を生成して画像表示装置１に表示する。
【００２７】
クイズ問題としては内容に地域差が生じするもの、例えば「クイズ問題：土を掘り返す道具に大小2種類ありますが、大きいのはどっち？    回答  １：スコップ、２：シャベル」  と画像表示装置1に表示し、回答は電話番号0120−ｘｘｘｘ−ｘｘｘｘにとして案内表示するとともに、回答締め切り時間を表示しカウントダウンして、回答を受け付ける。
【００２８】
図３にはクイズ番組の回答集約のフローチャートを示す。
各サテライトの街頭広告装置１０の画像表示装置１が観察できる範囲で人待ち等をしている人々２がクイズ番組をみて興味を引かれた際には、各自が持っている携帯端末３を用いて画像表示装置１に表示されている電話番号に電話をかけると、受信装置7が受信し、携帯電話にガイダンス案内を返し、１番と思う人は１番、２番と思う人は２番を押すようにガイダンス案内をする（ステップ１）。
【００２９】
ガイダンス案内を聞いて回答方法を理解した携帯電話を掛けた人は自分が正解と思う番号を選択してその番号ボタンを押して回答する（ステップ２)。
集計装置８では、選択された番号毎に回答数を集計する（ステップ３）。そして回答状況として回答総数を画面表示装置1に表示する（ステップ４）。あるいは棒グラフとして画像表示装置1に表示されるようにしてもよい。
画像表示装置1には集計状況がリアルタイムに表示される。この集計状況はそのサテライトの画像表示装置１を見ている人々２から寄せられており、回答を寄せた人がわかるように数字や映像で表示される。この段階では、いずれの選択番号が選択されているかは表示されない。
回答者が選択ボタンを押すと直ぐに反応するほうが自分の回答が受け付けられたという感じになり参加している実感がわき易い。
【００３０】
画像表示装置１には回答締め切り時間が表示されており、締め切り時間になるまで回答を受け付けている（ステップ５）。そして締め切り時間になったら、集計の結果発表に移る。結果発表は画像表示装置１に各回答番号と、その番号に正解数を数や棒グラフとして表示する（ステップ６）。
そして次に、このクイズ問題を行なっている他のサテライトを含めた結果を発表する（ステップ７）。ここではサテライトＡと、サテライトＢの結果を同時に表示する。
この問題では関東（渋谷）と関西（道頓堀）では回答が異なり、結果は関東が１番のスコップを選び、関西が２番のシャベルを選ぶ方が多いのである。この結果に対し関東と関西では同じものでも呼び方が違うことに対し、各地域の参加者が不思議に思うのである。そこで、この地域差による違いを解説する（ステップ８）ことで、各参加者は、雑学が増え、博学になるので、得した気分になるのである。
【００３１】
上記の実施例では、カメラを備えているので、回答時や結果発表時の他のサテライトの様子をカメラで撮影し、画像表示装置の中に別ウインドウで表示してもよい。こうすることで、他の会場との連帯感が醸し出される。
【００３２】
これでクイズ番組は終了し、次の広告画像が表示される。
クイズ番号の回答者は、上述の通り何等の事前登録をする必要がなく、個人情報を明かすことなく、気軽に参加できるのである。
これにより単なる広告動画表示システムではなくなり、ちょっとした時間で博学になれる画像表示装置となり、頭の体操にもなり、非常に興味のある街頭広告システムとなっている。これにより、次に表示される広告画像にも興味がわき、次のクイズ番組が気になり、広告効果が高まるのである。
【実施例２】
【００３３】
上記の実施例では広告とクイズ番組を分離しているが、より広告効果を高めるために、クイズの出願内容を直前の広告の内容から出願して、広告の内容を回答させるようにしてもよい。この場合は、その広告の宣伝となり、参加するにあたり、正解した場合に何らかのメリットを参加者に与えるのが望ましい。
例えば、正解の場合は広告のＣＭ音楽等が着メロとして送られてきたり、その携帯端末に使える背景画像が取得できるなどである。
【００３４】
上記の実施例では、回答する携帯端末として携帯電話を用いているが、携帯電話でなくとも、待ち合わせ場所のいたるところに設置した複数の回答選択ボタンを備えた回答装置から無線等で、受信装置に接続されるようにしてもよい。こうすることで携帯端末を所持していない人々でも参加が可能となる。
また、街頭広告装置は専用の受信装置が無くともよく、回答者が通常の電話回線に電話を掛けて、ホストコンピュータ側に集約装置があるような構成としてもよい。この場合では各サテライト毎に電話番号を変えておくことで、どのサテライトにいるかを判別できる。
【００３５】
また情報版組としては、クイズに限らず、例えばその時に話題になっている事柄についてのアンケートでもよく、
例えば、政治的問題に対する考えを選択させるようなものでは、地域によって考え方の違いがその場で判り、実用性のあるアンケート集約が可能となる。その場合、年齢や男女別等の情報を集約するようにするようにしてもよい。アンケートの場合では集計結果をホスト側の記憶装置で集約するようにしてもよい。
【００３６】
上記実施例では広告表示装置として繁華街等の待ち合わせ場所から見える場所にあるビル等の壁面に設置した大きな画像表示装置を例にして説明したが、広告表示装置としては電車等の天井に設置される動画広告表示装置であってもよい。
あるいは駅や空港、病院の待合室等に設置される広告表示装置であってもよい。要は、手持ぶさたに時間がある人々に気軽に参加できるような場所にある情報表示装置であればよい。
【００３７】
ここでは図示の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。上記実施の形態例は本発明の理解のためのものであり、本発明がこれらに限定されるものではない。
【図面の簡単な説明】
【００３８】
【図１】街頭広告システムの構成を示すブロック図である。
【図２】街頭広告システムの広告と情報番組の流れを示す図である。
【図３】クイズ番組の回答集約のフローチャートである。
【符号の説明】
【００３９】
１  画像表示装置
２  待ち人
３  携帯端末
４  制御装置
５  記憶装置
６  画像生成装置
７  受信装置
８  集計装置  
１０  街頭広告装置
２０  ホストコンピュータ
２１  ホスト側記憶装置
３０  ネットワーク
【図１】
2008191346.tif 000003
【図２】
2008191346.tif 000004
【図３】
2008191346.tif 000005